(57)【要約】【課題】  従来の単一フレームフローに対する帯域制御ではなく、ユーザ/アプリケーション別に帯域を制御する帯域制御方法（帯域制御方式）を提供する。【解決手段】 イーサネット回線における帯域制限値及び複数の優先度における比率を設定するステップと、イーサネットフレームフローを付与された識別データにより前記複数の優先度のグループに分類するステップと、前記分類されたフレームを優先度毎に複数のキューに一時保存するステップと、前記分類されたフレームの転送ビットをカウントするステップと、前記カウントに応じて前記複数のキューのいずれか１つを選択するステップと、前記カウント及び選択されたキューに応じて優先度対応してイーサネットフレームの転送するステップとを含むイーサネットにおける優先度フロー別帯域制御方法。【選択図】  図１
2005051580.tif 000002
【特許請求の範囲】
【請求項１】
イーサネット回線における帯域制限値及び複数の優先度における比率を設定するステップと、
イーサネットフレームフローを付与された識別データにより前記複数の優先度のグループに分類するステップと、
前記分類されたフレームを優先度毎に複数のキューに一時保存するステップと、
前記分類されたフレームの転送ビットをカウントするステップと、
前記カウントに応じて前記複数のキューのいずれか１つを選択するステップと、
前記カウント及び選択されたキューに応じた優先度に対応してイーサネットフレームを転送するステップとを含むことを特徴とするイーサネット回線における優先度フロー別帯域制御方法。
【請求項２】
前記帯域制限値は所定時間毎にリセットされるカウンタの最大値で設定され、前記複数の優先度の比率は１ビットに対するカウントの重み付けで設定されることを特徴とする請求項１に記載のイーサネット回線における優先度フロー別帯域制御方法。
【請求項３】
前記比率によって設定される複数の優先度よりも優先される最優先のグループを設定ができることを特徴とする請求項１又は２に記載のイーサネット回線における優先度フロー別帯域制御方法。
【請求項４】
前記複数の優先度は、イーサネット回線に接続された同一の顧客の保有するイーサーネット対応機器に対して設定されることを特徴とする請求項１〜３のいずれか１項に記載のイーサネット回線における優先度フロー別帯域制御方法。
【請求項５】
前記複数の優先度は、イーサネット回線に接続された複数の顧客に対して設定されることを特徴とする請求項１〜３のいずれか１項に記載のイーサネット回線における優先度フロー別帯域制御方法。
【請求項６】
イーサネット回線におけるフレームの転送を、フレーム毎に設定された優先度に応じて転送するイーサネット回線における優先度フロー別帯域制御方式であって、
イーサネットフレームフローを付与された識別データにより前記複数の優先度のグループに分類するフレームフロー分類手段と、
前記分類されたフレームを優先度毎に一時保存する複数のキューと、
前記分類されたフレームの転送ビットを、それぞれ設定比率に応じてカウントするカウンタ手段と、
前記カウントに応じて前記複数のキューのいずれか１つを選択するキュー選択手段と、
前記カウンタ手段及びキュー選択手段との出力に応じてフレームを転送させる転送手段とを、含むことを特徴とするイーサネット回線における優先度フロー別帯域制御方式。
【請求項７】
前記帯域制限値は所定時間毎にリセットされるカウンタの最大値で設定され、前記複数の優先度の比率は１ビットに対するカウントの重み付けで設定されることを特徴とする請求項６に記載のイーサネット回線における優先度フロー別帯域制御方式。
【請求項８】
前記カウント手段は、最優先キューカウンタ比較部、優先度キューカウンタ比較部及び優先度比率カウンタ比較部を備え、カウンタ最大値設定部及び優先度比率設定部によって帯域制限値及び優先度比率が設定されることを特徴とする請求項６又は７に記載のイーサネット回線における優先度フロー別帯域制御方式。
【発明の詳細な説明】
【技術分野】
【０００１】
本発明は、イーサネット（登録商標）回線におけるフレームフローのビット数をカウントして制限する帯域制御（制限）方式に関する。
【背景技術】
【０００２】
従来の帯域制御（制限）方式を図１０を用いて説明する。
帯域制御は、イーサネット回線に挿入された、タイマー２２によって所定時間毎にリセットされるビットカウンタ２１及び転送／破棄ブロック２３によって行われる。
図１０におけるビットカウンタ２１はフレームフローのビット数をカウントし、カウント数が所定値達すると、該ビットカウンタ１から転送／破棄ブロック２３に対して転送OFF信号を送出する。
転送／破棄ブロック２３では、転送OFF信号を受け取ると、フレームフローの転送を停
止する。
タイマ２２では、所定の間隔（例えば、１秒）でカウンタ１をリセットする。
【０００３】
次に、具体的な例を挙げて、図１０の帯域制御の動作を説明する。
物理速度１００Ｍbpsのイーサネット回線を想定する。
タイマーを１秒間隔とし、転送OFFカウンタ値を５０Ｍbitと設定する。
１秒間の間にフレームフローが５０Ｍbitを超えた場合、その超えた分のフレームフロ
ーは破棄されるので、実質上、上限５０Ｍbpsの帯域制限となる。
【０００４】
イーサネット回線における帯域制御（制限）に関する技術としては、以下のものが知られている。（例えば、特許文献１参照）
【０００５】
【特許文献１】特開２００２−９４５７４号公報（０００５）（０００６）
【０００６】
上記刊行物には、以下の記載がなされている。
ユーザＬＡＮを通信事業者の広域ＬＡＮに安価な装置によりＬＡＮ間接続することができ、さらにユーザＬＡＮからの契約帯域を細かく設定することができるＬＡＮ間接続システムおよびその局側装置を提供することを目的として、「ユーザＬＡＮと通信事業者の広域ＬＡＮとを光ファイバ伝送路を介して接続するＬＡＮ間接続システムであって、通信事業者側に設置されて広域ＬＡＮと光ファイバ伝送路との間に伝送する所定のデータフレームを電気／光変換してそのデータフレームを媒体アクセス制御により転送する第１の光変換装置と、ユーザ宅内に設置されてユーザＬＡＮと光ファイバ伝送路との間に伝送するデータフレームを電気／光変換してそのデータフレームを媒体アクセス制御により転送する光変換装置とを有し、通信事業者側の第１の光変換装置に、データフレームのＭＡＣアドレスに従って転送する少なくとも２個のＭＡＣスイッチを設け、これらＭＡＣスイッチ間において転送するデータフレームの転送周波数を所定の間隔により自在に設定して、第２の光変換装置から光ファイバ伝送路を介して転送されるユーザＬＡＮからのデータ量を所望の伝送容量に帯域制限する」
【発明の開示】
【発明が解決しようとする課題】
【０００７】
図１０に記載の従来の帯域制御方式では、イーサネット回線のフレームフロー全てを１つのフローとして扱うため、データ内容の重要度等に関係なく制限がかかってしまうという問題があった。
しかし、イーサネットの回線は不特定多数のユーザが共有することが一般的なため、ユ
ーザごと/アプリケーションごとの帯域制限が必要と考えられるが従来の帯域制御方式で
は実現できなかった。
また、システムとして、バッファを持たない構成であるため、パケットロスに弱いアプリケーション（ＴＣＰ通信等）の場合はパフォーマンスの低下が見られた。
【０００８】
本発明の課題(目的)は、従来の単一フレームフローに対する帯域制御ではなく、ユーザ/アプリケーション別に帯域を制御する帯域制御方式（帯域制御方法）を提供することに
ある。
【課題を解決するための手段】
【０００９】
前記課題を解決するために、
イーサネット回線における帯域制限値及び複数の優先度における比率を設定するステップと、イーサネットフレームフローを付与された識別データにより前記複数の優先度のグループに分類するステップと、前記分類されたフレームを優先度毎に複数のキューに一時保存するステップと、前記分類されたフレームの転送ビットをカウントするステップと、前記カウントに応じて前記複数のキューのいずれか１つを選択するステップと、前記カウント及び選択されたキューに応じた優先度に対応してイーサネットフレームを転送するステップとで、イーサネット回線における優先度フロー別帯域制御を実現する。（請求項１）
また、前記帯域制限値は所定時間毎にリセットされるカウンタの最大値で設定され、前記複数の優先度の比率は１ビットに対するカウントの重み付けで設定する。（請求項２）
また、前記比率によって設定される複数の優先度よりも優先される最優先のグループを設定をできる。（請求項３）
また、前記複数の優先度は、イーサネット回線に接続された同一の顧客の保有するイーサーネット対応機器に対して設定する。（請求項４）
また、前記複数の優先度は、イーサネット回線に接続された複数の顧客に対して設定する。（請求項５）
また、イーサネット回線におけるフレームの転送を、フレーム毎に設定された優先度に応じて転送するイーサネット回線における優先度フロー別帯域制御方式であって、
イーサネットフレームフローを付与された識別データにより前記複数の優先度のグループに分類するフレームフロー分類手段と、前記分類されたフレームを優先度毎に一時保存する複数のキューと、前記分類されたフレームの転送ビットを、それぞれ設定比率に応じてカウントするカウンタ手段と、前記カウントに応じて前記複数のキューのいずれか１つを選択するキュー選択手段と、前記カウンタ手段及びキュー選択手段との出力に応じてフレームを転送させる転送手段とを含む構成とする。（請求項６）
また、前記帯域制限値は所定時間毎にリセットされるカウンタの最大値で設定され、前記複数の優先度の比率は１ビットに対するカウントの重み付けで設定する。（請求項７）
また、前記カウント手段は、最優先キューカウンタ比較部、優先度キューカウンタ比較部及び優先度比率カウンタ比較部を備え、カウンタ最大値設定部及び優先度比率設定部によって帯域制限値及び優先度比率で設定する。（請求項８）
【発明の効果】
【００１０】
上記本発明の構成では、
・複数のキューの帯域制御時間をずらすことにより、確実な優先処理が実現できる。
即ち、優先度の低いフレームが大量に転送されて帯域を大量に消費してしまう場合のも、最優先のフレーム転送を優先的に保障することができる。
・比率設定による柔軟なキューの重み付けが実現である。
即ち、ユーザが任意に各優先度キュー間の転送比率を設定可能となるため、ユーザのニーズに対して柔軟な優先処理機能が活用可能である。
・bitカウントと、比率設定の連携によって、精度の高い帯域設定が実現できる。
即ち、各優先度キューの帯域を転送bitカウント＋比率でおこなうことで、従来にない
精確な帯域制御が可能になる。
・簡易ハードウエアで実現できる
即ち、帯域制御と比率優先処理をブロックにわけ、処理を簡易化することで簡易なハードウェアのみで実現可能となり、コストダウンにつながる。
【発明を実施するための最良の形態】
【００１１】
本発明のイーサネット回線における優先度フロー別帯域制御方式のハードウエア構成を図１に示す。
図１において、１はフレームフロー分類部であり、フレーム内の優先度もしくはプロトコル種別により分類し、各キューに振り分ける。
２はキュー（待ち行列）でありフレームを一時保存するするもので、複数のキューを備えている。（図１では３個）
３はキャリア検出部であり、フレーム通過時に、キャリア信号をカウンタ部に送る。
４はタイマであり、時間をカウントし定期的にリセット信号（１０３）を発信する。
５は転送部であり、カウンタ部からの指示に従い、キューを選択してフレームの転送をおこなう。また、フレーム間にギャップを挿入する。
６はカウンタ部であり、ユーザによるカウンタ設定とフレームカウンタを比較し、転送部に転送指示する。
【００１２】
図１におけるカウンタ部６の詳細なブロック図を図２に示す。
図２において、７はカウンタ最大値設定部であり、帯域制限値をbit/sにて設定する。
８は最優先キューカウンタ比較部であり、ユーザ設定のカウンタと最優先キューから送信されたbit数を比較し、超えた場合は（１０５）にて転送をOFFする。
９は優先度キューカウンタ比較部であり、最優先キューから渡されたカウンタ値と優先度キューから送信されたbit数を比較し、超えた場合は（１０７）にて転送をOFFする。
１０は優先度比率カウンタ比較部であり、転送部に次の転送キューを指定する。
１１は優先度比率設定部であり、各キューの重みを倍率で設定する。
【００１３】
図１及び２中の信号は以下のとおりである。
１０１はフレームフローであって、イーサネット回線のフレームの流れ（主信号）を示す。
１０２はキャリア信号であって、フレームフロー転送中に信号を発信する。カウンタ部６によってbitカウントに使われる。
１０３はリセット信号であって、タイマ部４によって定期的に発信される。
１０４はキュー情報であって、各キュー内にフレームが存在するかどうかを示す情報信号である。
１０５は最優先キューON/OFFであって、最優先キューからの転送ON/OFFを転送部５に指示する。
１０６はキュー選択信号であって、次に転送するべきキューを転送部５に指示する。
転送するフレームがない場合はキュー無を指示する。
１０７は優先度キューON/OFFであって、優先度キューからの転送ON/OFFを転送部５に指示する。
１０８はカウンタ最大値であって、最大帯域となるカウンタ値である。
１０９は優先度比率であって、各キューの優先度重み値を示す。（たとえば１〜１０の整数）
２０１は残カウンタであって、最優先キューカウンタ比較部８によって行われる。  カウンタ最大値１０８−最優先キューからの転送bitを最優先キューカウンタ比較部９に渡
す。
【００１４】
次に、本発明のイーサネット回線における優先度フロー別帯域制御方式を実装したモデル環境を図３に示す。
・図３では、本発明のイーサネット回線における優先度フロー別帯域制御方式を実装した装置Ａに１０００BASE-Tインタフェース（１Ｇbit/s）を接続する。
・装置Ａの帯域制御を５００Ｍbit/sとする。（カウンタ最大値を５００Ｍに設定）
・装置Ａのキューは、
・最優先キュー（優先度１）/優先度高キュー（同２）/優先度低キュー（同３）の３つとする。
・装置Ａの最優先キューは常に優先とする。
・装置Ａの優先度高キュー：優先度低キューの優先度比率は１：１０とする。
（優先度高＝１  優先度低＝２に設定。優先度高が２倍多く転送される。）
・優先度１〜３のフレームが順番に１Ｇbit/sの速度で入力されているとする。
（各優先度のフレームが約３３３Ｍbit/sで入力される。）
【００１５】
以下、図３の動作に伴うフレームフローを説明する。
装置Ａに入力されたフレーム１０１は、フレームフロー分類部１にてキュー２に割り振られる。
割り振り方式はフレームのＩＰヘッダToSフィールドやＩＰアドレス等により分類する
。キュー２の個数／容量は任意に設計できる。
図１のモデルでは、優先度１のフレームは最優先キューに割り当て、
優先度２のフレームは優先度高キューに割り当て、
優先度３のフレームは優先度低キューに割り当て、
となっている。
【００１６】
転送部５では、
・最優先キューにフレームが存在する。
・信号１０５にて最優先キュー転送がＯＮになっている。
上記２条件を満たす場合、最優先キューからフレームを転送する。
図３のモデルでは、優先度１のフレームが転送され、装置Ａから出力される。
【００１７】
転送部５では、
・最優先キューにフレームが存在しない。
・信号１０５にて最優先キュー転送がＯＦＦとなっている。
上記２条件のどちらかと、
・信号１０７にて優先度キューがＯＮになっている。
上記条件を満たす場合、信号１０６によるキュー指示に従い、フレームを転送する。
（キュー指示にて、転送なしが指示された場合はキュー内にフレームが入ってきた時に転送する。）
図３のモデルでは、優先度２or優先度３のフレームが装置Ａから出力される。
【００１８】
転送部５では、
信号１０５／１０７両方ＯＦＦ。
信号１０５ON／信号１０７OFFで最優先キューにフレームなし。
信号１０５OFF／信号１０７ONで優先度キューにフレームなし。
上記のいずれかの条件の場合、フレームを転送しない。
【００１９】
次に、図３のモデルの帯域制御について説明する。
１．タイマ４からリセット信号１０３が発信される。（本モデルでは１秒(S)間隔）
２．最優先キューカウンタ比較部８は、「カウンタ最大値１０８−最優先キューから転送されたフレームカウンタ値＝余りの帯域」を信号２０１にて優先度キューカウンタ比較部
９へ通知する。（余りの帯域初期値は０とする。）
３．最優先キューカウンタ比較部８及び優先度キューカウンタ比較部９のフレームカウンタがリセットされる。
４．キャリア検出部３により検出されたキャリア信号１０２から最優先キューカウンタ比較部８及び優先度キューカウンタ比較部９は各キューから送信されたフレームのbitカウ
ントを行う。
５．最優先キューカウンタ比較部８はカウンタ最大値設定部７にて設定された最大値と最優先キューから転送されたbitカウント値を比較し、最大値を超えた場合、信号１０５に
て最優先キュー転送をOFFにする。
本モデルでは、カウンタ最大値設定部７の設定が５００Mとなっているため、１秒間に
５００Ｍbit以上転送されると、最優先キューからの転送は停められて帯域制限されるが
、優先度１のフレーム入力は３３３Ｍbit/sであるため、全て転送される。
６．優先度キューカウンタ比較部９は前記２にて設定された余りの帯域と優先度キューから転送されたbitカウント値を比較し、余りの帯域を超えた場合、信号１０７にて優先度
キュー転送をOFFにする。
本モデルでは、カウンタ最大値設定部７の設定が５００Mとなっているため、最優先キ
ューからの転送、約３３３Ｍbit/sを引いた約１６７Mbit/sが余りの帯域となる。
優先度キューから優先度２のフレームが約３３３Mbit/s、優先度３のフレームが約３３３Mbit/s合わせて、約６６７Mbitであるため、約５００Mbitは転送されない。
優先度１フレームと、優先度２，３フレームの転送状態を図４に示す。
【００２０】
優先度比率制御の動作説明をする。
優先度比率制御は、主に図２にける優先度比率カウンタ比較部１０及び優先度比率設定部１１により実行される。
１．タイマ４からリセット信号１０３が発信される。（本モデルでは１秒(s)間隔）
２．カウンタがリセットされ、優先度比率設定部１１において、設定された優先度比率信号１０９により、優先度比率カウンタ比較部１０に優先度比率が設定される。
また、優先度比率カウンタ比較部１０は信号１０６にて「転送なし」を指定する。
本モデルでは、優先度高＝１、優先度低＝２と設定する。
３．優先度比率カウンタ比較部１０は、信号１０２を用いて各優先度キューからの転送bit数を（個別に）カウントする。
その際、各キューごとの比率設定を乗じたbit数にてカウントを行う。
本モデルでは、優先度高キューから１bit転送された場合には、カウンタ+１となり、
優先度低キューから１bit転送された場合には、カウンタ+２となる。
４．優先度比率カウンタ比較部１０は信号１０２がなくなっている間（フレームギャップ９６bit）で、以下のプロセスで信号１０６より指示する転送キューを決定する。（カウ
ンタが一致した場合の優先選択は設計段階で決めておく）
ただし、このプロセスはフレーム間ギャップ（９６bit）で完了する。
【００２１】
キュー選択のプロセス例を図５を用いて説明する。
図５は、キュー数が４（Ａ，Ｂ，Ｃ，Ｄ）で、bitカウンタが３２bitの例を示している。
１段目のコンペア５１に３２ビットキュー（Ａ）及び３２ビットキュー（Ｂ）が入力されてカウント値の小さなキュー（（Ａ）or（Ｂ））が選択される。
また、１段目のコンペア２に３２ビットキュー（Ｃ）及び３２ビットキュー（Ｄ）が入力されてカウント値の小さなキュー（（Ｃ）or（Ｄ））が選択される。
次に、２段目のコンペア５３に前記１段目のコンペア５１及び５２で選択されたキューの内小さいカウント値のキューが選択キュー（２bit出力）として出力される。
なお、１段目コンペア５１，５２及び２段目コンペア５３は、クロック発生器(CLK)５
４からのクロック信号によって動作する。
但し、最後に選択されたカウンタの最上位が１であった場合には、「転送あり／なし」信号は、転送なし（１bit）信号が出力される。
本モデルでは、２段目コンペア５３の出力１０６は、３bit信号となる。
即ち、本モデルでは、カウンタ値最小で、且つフレームがあるキューが選択される。
（フレームがどこにもない場合には、転送なしが選択される。）
【００２２】
優先度比率制御がなされた場合の優先度高キュー及び優先度低キューの転送の例を図６を用いて説明する。
この図６では、１秒前に最優先キューが３３３Mbit転送されたため、残り１６７Mbitを優先度キューから転送する場合を示している。
(a)は、フレーム番号であって、リセット後の１〜１３フレームまでを示している。
(b)は、優先度高キューのカウント値である。
(c)は、優先度低キューのカウント値である。
(d)は、選択されたキューを示している。
(e)は、優先度高キューから実際に転送されたビット数を示している。
(f)は、優先度低キューから実際に転送されたビット数を示している。
カウンタ値が同じ場合は、優先度高を転送する。
図６に示すように、１〜１３フレームで、優先度比率１：２（高：低）を守った状態で、実転送bit（４０９６：２０４８）で転送される。
【００２３】
次に、優先度比率制御がなされた場合の優先度高キュー及び優先度低キューの転送で、キューに「空」が存在する例を図７を用いて説明する。
この図７でも図６と同様に、１秒前に最優先キューが３３３Mbit転送されたため、残り１６７Mbitを優先度キューから転送する場合を示している。
(a)〜(f)は、図６と同じものを示している。
カウンタ値が同じ場合は、優先度高を転送する。
図７において、１〜３フレームまでは、優先度高キューのフレームは（空）で、優先度低キューには、フレームがある。
３フレームの次は、優先度高キュー及び優先度低キューのフレームは（空）である。
４〜１２フレームまでは、優先度高キュー及び優先度低キューともにフレームがある。
図７に示すように、カウンタ値最小で、且つフレームがあるキューが選択されて転送される。
【００２４】
図８を用いて、本発明の優先度フロー別帯域制御方式の適用例を説明する。
図８では、本発明の優先度フロー別帯域制御方式を一般家庭のインターネット接続アプリケーションとして適用した場合である。
図８において、８１は、本発明の優先度フロー別帯域制御装置で、インターネット回線網８３と家庭内配線との接続ポイント間に接続され、内部は図１の如き構成を備えている。
82-1は、家庭内の電話器であって、その電話回線の帯域は最優先（最優先キュー）に設定されている。
また、82-2は家庭内に設置された家電装置であって、その回線の帯域は優先度高（優先度高キュー）に設定され、82-3は家庭内に設置されたパーソナル・コンピュータであって、その回線の帯域は優先度低（優先度低）に設定されている。
図８では、重要なライフラインである電話回線の帯域を最優先に設定し、たの機器の帯域を必要な比率設定により、個々の回線の帯域を確保して、安定した帯域制御を実現することができる。
【００２５】
図９を用いて、本発明の優先度フロー別帯域制御方式の別の適用例を説明する。
図９では、本発明の優先度フロー別帯域制御方式を屋外インターネット接続アプリケー
ションとして適用した場合である。
図９において、９１は、本発明の優先度フロー別帯域制御装置で、インターネット回線網９３と屋外接続ポイント間に接続され、内部は図１の如き構成を備えている。
92-1は、プレミアサービスを提供する顧客Ａであって、顧客Ａの回線帯域は優先高（比率１）に設定されている。
また、92-2はゴールドサービスを提供する顧客Ｂであって、顧客Ｂの回線帯域は優先度高（比率２）に設定され、92-3は一般サービスを提供する顧客Ｃあって、顧客Ｃの回線帯域は優先度低（比率５）に設定されている。
図９では、顧客毎に、比率設定が可能であるので、サービスの差別化、多様化が簡易な装置で実現できる。
例えば、プレミアサービス：優先度高、価格高、ビジネス向け
一般サービス    ：優先度低、価格低、一般ユーザ向け
ゴールドサービス：上記サービスの中間
【産業上の利用可能性】
【００２６】
請求項１〜８に記載のイーサネット回線における優先度フロー別帯域制御方法及び帯域制御方式では、複数のキューの帯域制御時間をずらすことにより、確実な優先処理が実現できる。
また、比率設定による柔軟なキューの重み付けが実現である。
また、ビットカウントと、比率設定の連携によって、精度の高い帯域設定が実現できる。
更に、、簡易ハードウエアで実現でき、帯域制御と比率優先処理をブロックにわけ、処理を簡易化することで簡易なハードウェアのみで実現可能となり、コストダウンにつながるという特有の作用・効果を奏するので、産業上の利用性は極めて大きい。
【図面の簡単な説明】
【００２７】
【図１】本発明のイーサネット回線の優先度フロー別帯域制御方式のハードウエア構成を示す図である。
【図２】図１におけるカウンタ部６の詳細なブロック図を示す図である。
【図３】本発明のイーサネットの優先度フロー別帯域制御方式のモデル環境をに示す図である。
【図４】優先度１フレームと、優先度２，３フレームの転送状態を示す図である。
【図５】キュー選択のプロセスを説明する図である。
【図６】本発明の帯域制御において優先度比率制御がフレーム転送を示す図である。
【図７】キューに「空き」が存在する場合の優先度比率制御がフレーム転送を示す図である。
【図８】本発明の優先度フロー別帯域制御方式の適用例を示す図である。
【図９】本発明の優先度フロー別帯域制御方式の別の適用例を示す図である。
【図１０】従来のイーサネット回線のフロー制御方式のハードウエア構成を示す図である。
【符号の説明】
【００２８】
１      フレームフロー分類部
２      優先度別キュー
３      キャリア検出部
４      タイマ
５      転送部
６      カウンタ部
７      カウンタ最大値設定部
８      最優先キューカウンタ比較部
９      優先度キューカウンタ比較部
１０    優先度比率カウンタ比較部
１１    優先度比率設定部
【図１】
2005051580.tif 000003
【図２】
2005051580.tif 000004
【図３】
2005051580.tif 000005
【図４】
2005051580.tif 000006
【図５】
2005051580.tif 000007
【図６】
2005051580.tif 000008
【図７】
2005051580.tif 000009
【図８】
2005051580.tif 000010
【図９】
2005051580.tif 000011
【図１０】
2005051580.tif 000012